(57)【要約】      （修正有）【課題】工作機械を使用した作業空間において、削り粉等を確実に吸い込んで、作業空間の汚れや作業員の削り粉等の吸い込みを確実に防止することが可能な集塵機と集塵用ブースを提供する。【解決手段】集塵機本体と、集塵機本体の吸込側に設けられ粉塵を一定の気流によって吸い込むためのトンネル通路を形成する集塵用ブースと、を具備したもの。又、集塵機本体の吸込側に設けられ粉塵を一定の気流によって吸い込むためのトンネル通路を形成する。【選択図】図２
0003133617.tif 000002
【実用新案登録請求の範囲】
【請求項１】
集塵機本体と、上記集塵機本体の吸込側に設けられ粉塵を一定の気流によって吸い込むためのトンネル通路を形成する集塵用ブースと、を具備したことを特徴とする集塵機。
【請求項２】
請求項１記載の集塵機において、
上記集塵用ブースは必要に応じてトンネル通路を形成するように出没自在に構成されていることを特徴とする集塵機。
【請求項３】
請求項２記載の集塵機において、
上記集塵用ブースは出没自在に設けられた左右一対の側壁部と、出没自在に設けられた天板部とから構成されていることを特徴とする集塵機。
【請求項４】
請求項３記載の集塵機において、
上記左右一対の側壁部と天板部はその出現量を調節可能に構成されていることを特徴とする集塵機。
【請求項５】
請求項４記載の集塵機において、
上記左右一対の側壁部は折り畳み可能に設けられていて、上記天板部はロール状に引き出し・巻き戻し可能に設けられていることを特徴とする集塵機。
【請求項６】
請求項５記載の集塵機において、
上記天板部は引き出し時に左右一対の側壁部によって支持されるものであることを特徴とする集塵機。  
【請求項７】
請求項６記載の集塵機において、
上記集塵機本体は移動可能に設置されていることを特徴とする集塵機。
【請求項８】
請求項７記載の集塵機において、
上記集塵用ブースは上記集塵機本体に対して着脱可能に設けられていることを特徴とする集塵機。
【請求項９】
集塵機本体の吸込側に設けられ粉塵を一定の気流によって吸い込むためのトンネル通路を形成することを特徴とする集塵用ブース。
【請求項１０】
請求項９記載の集塵用ブースにおいて、
必要に応じてトンネル通路を形成するように出没自在に構成されていることを特徴とする集塵用ブース。
【請求項１１】
請求項１０記載の集塵用ブースにおいて、
出没自在に設けられた左右一対の側壁部と、出没自在に設けられた天板部とから構成されていることを特徴とする集塵用ブース。
【請求項１２】
請求項１１記載の集塵用ブースにおいて、
上記左右一対の側壁部と天板部はその出現量を調節可能に構成されていることを特徴とする集塵用ブース。
【請求項１３】
請求項１２記載の集塵用ブースにおいて、
上記左右一対の側壁部は折り畳み可能に設けられていて、上記天板部はロール状に引き出し・巻き戻し可能に設けられていることを特徴とする集塵用ブース。
【請求項１４】
請求項１３記載の集塵用ブースにおいて、
上記天板部は引き出し時に左右一対の側壁部によって支持されるものであることを特徴とする集塵用ブース。
【請求項１５】
請求項１４記載の集塵用ブースにおいて、
移動可能に構成されていることを特徴とする集塵用ブース。
【考案の詳細な説明】
【技術分野】
【０００１】
本考案は集塵機と集塵用ブースに係り、特に、吸込み側にトンネル通路を提供して一定の気流を発生させるトンネルフード効果を発揮させ、それによって、各種加工時に発生する切削粉等の飛散を防止して集塵効率を高めることができるように工夫したものに関する。
【背景技術】
【０００２】
例えば、各種工作機械等によってワークに所定の加工を施すような場合には、加工時に発生する切削粉等が周囲に飛散してしまい、それによって、作業空間が汚れてしまうとともに作業者がそれらを吸込んでしまうことが懸念される。
【０００３】
そのような場合には、別途設置された集塵機に接続されている吸込ダクトを作業空間内に引き込んで、上記切削粉等を吸引・除去することが行われている。
【０００４】
又、それ以外に工作機械自体に集塵機を備え付けたような構成が提案されている。その種の集塵機の構成を開示するものとして、例えば、特許文献１、特許文献２等がある。
【特許文献１】特開平０７−１２７７号公報
【特許文献２】特開２００４−１４２０５４号公報
【考案の開示】
【考案が解決しようとする課題】
【０００５】
上記従来の構成によると次のような問題があった。
まず、別途配置されている集塵機の吸込ダクトを作業空間内に引き込んで切削粉等を吸い込む方法では、発生する切削粉等を確実に吸い込むことはできず、飛散する切削粉等による作業空間の汚染や作業員の切削粉等の吸い込みを確実に防止することはできなかった。
又、特許文献１、特許文献２に開示されているように、工作機械に集塵機を取り付けたような構成も想定されるが、それでは、工作機械毎に全て集塵機を設けなければならずコスト的な問題があった。
【０００６】
本考案はこのような点に基づいてなされたものでその目的とするところは、例えば、工作機械を使用した作業空間において、切削粉等を確実に吸い込んで、作業空間の汚れや作業員の切削粉等の吸い込みを確実に防止することが可能な集塵機と集塵用ブースを提供することにある。
【課題を解決するための手段】
【０００７】
上記課題を解決するべく本願考案の請求項１による集塵機は、集塵機本体と、上記集塵機本体の吸込側に設けられ粉塵を一定の気流によって吸い込むためのトンネル通路を形成する集塵用ブースと、を具備したことを特徴とするものである。
又、請求項２による集塵機は、請求項１記載の集塵機において、上記集塵用ブースは必要に応じてトンネル通路を形成するように出没自在に構成されていることを特徴とするものである。
又、請求項３による集塵機は、請求項２記載の集塵機において、上記集塵用ブースは出没自在に設けられた左右一対の側壁部と、出没自在に設けられた天板部とから構成されていることを特徴とするものである。
又、請求項４による集塵機は、請求項３記載の集塵機において、上記左右一対の側壁部と天板部はその出現量を調節可能に構成されていることを特徴とするものである。
又、請求項５による集塵機は、請求項４記載の集塵機において、上記左右一対の側壁部は折り畳み可能に設けられていて、上記天板部はロール状に引き出し・巻き戻し可能に設けられていることを特徴とするものである。
又、請求項６による集塵機は、請求項５記載の集塵機において、上記天板部は引き出し時に左右一対の側壁部によって支持されるものであることを特徴とするものである。  
又、請求項７による集塵機は、請求項６記載の集塵機において、上記集塵機本体は移動可能に設置されていることを特徴とするものである。
又、請求項８による集塵機は、請求項７記載の集塵機において、上記集塵用ブースは上記集塵機本体に対して着脱可能に設けられていることを特徴とするものである。
又、請求項９による集塵用ブースは、集塵機本体の吸込側に設けられ粉塵を一定の気流によって吸い込むためのトンネル通路を形成することを特徴とするものである。
又、請求項１０による集塵用ブースは、請求項９記載の集塵用ブースにおいて、必要に応じてトンネル通路を形成するように出没自在に構成されていることを特徴とするものである。
又、請求項１１による集塵用ブースは、請求項１０記載の集塵用ブースにおいて、出没自在に設けられた左右一対の側壁部と、出没自在に設けられた天板部とから構成されていることを特徴とするものである。
又、請求項１２による集塵用ブースは、請求項１１記載の集塵用ブースにおいて、上記左右一対の側壁部と天板部はその出現量を調節可能に構成されていることを特徴とするものである。
又、請求項１３による集塵用ブースは、請求項１２記載の集塵用ブースにおいて、上記左右一対の側壁部は折り畳み可能に設けられていて、上記天板部はロール状に引き出し・巻き戻し可能に設けられていることを特徴とするものである。
又、請求項１４による集塵用ブースは、請求項１３記載の集塵用ブースにおいて、上記天板部は引き出し時に左右一対の側壁部によって支持されるものであることを特徴とするものである。
又、請求項１５による集塵用ブースは、請求項１４記載の集塵用ブースにおいて、移動可能に構成されていることを特徴とするものである。
【考案の効果】
【０００８】
以上述べたように、本願考案の請求項１による集塵機によると、集塵機本体と、上記集塵機本体の吸込側に設けられ粉塵を一定の気流によって吸い込むためのトンネル通路を形成する集塵用ブースと、を具備した構成になっているので、まず、集塵用ブースを設けることにより、例えば、工作機械と作業員を含む全体を包囲した状態で集塵することができ、それによって、一定の気流を発生させるトンネルフード効果を発揮させることが可能となり、加工時に発生する切削粉等を確実に吸引して捕集することができ、周囲への飛散を確実に防止することができる。
又、請求項２による集塵機は、請求項１記載の集塵機において、上記集塵用ブースは必要に応じてトンネル通路を形成するように出没自在に構成されているので、例えば、非使用時には収納しておくことができる。
又、請求項３による集塵機は、請求項２記載の集塵機において、上記集塵用ブースは出没自在に設けられた左右一対の側壁部と、出没自在に設けられた天板部とから構成されているので、比較的簡単な構成で所望の吸込通路を形成することができる。
又、請求項４による集塵機は、請求項３記載の集塵機において、上記左右一対の側壁部と天板部はその出現量を調節可能に構成されているので、必要に応じてトンネル通路の長さを調整することができる。
又、請求項５による集塵機は、請求項４記載の集塵機において、上記左右一対の側壁部は折り畳み可能に設けられていて、上記天板部はロール状に引き出し・巻き戻し可能に設けられているので、簡単な構成によって必要に応じてトンネル通路の長さを調整することができる。
又、請求項６による集塵機は、請求項５記載の集塵機において、上記天板部は引き出し時に左右一対の側壁部によって支持されるものであるので、別途支持部材を必要とせず構成の簡略化を図ることができる。  
又、請求項７による集塵機は、請求項６記載の集塵機において、上記集塵機本体は移動可能に設置されているので、任意の場所に移動して機能することができる。
又、請求項８による集塵機は、請求項７記載の集塵機において、上記集塵用ブースは上記集塵機本体に対して着脱可能に設けられているので、任意の集塵機本体に対して適用することができる。
又、請求項９〜請求項１５は集塵用ブースとしてクレームしたものである。
【考案を実施するための最良の形態】
【０００９】
以下、図１乃至図６を参照して本考案の第１の実施の形態を説明する。本実施の形態による集塵機１は、集塵機本体３と集塵用ブース５とから構成されている。上記集塵機本体３は筐体７を備えていて、この筐体７の下面には４個のキャスタ１０を備えている。又、上記筐体７内には、図３に示すように、フィルタ９、ブロア１１、パルスユニット１３、粉塵受け皿１５等が内装されている。
【００１０】
又、図４に示すように、上記パルスユニット１３、フィルタ９、粉塵受け皿１５の位置には、開閉蓋１７、１９、２１が夫々開閉自在に取り付けられている。又、図２及び図３に示すように、筐体７には制御盤２３が設置されているとともに、上記ブロア１１の位置には排気口２５が設けられていて、この排気口２５にはパンチングメタル２７が取り付けられている。
【００１１】
次に、上記集塵用ブース５の構成について説明する。まず、一対の左右側壁部３１、３３がある。上記左側壁部３１は２枚の板材３１ａ、３１ｂを備えていて、これら２枚の板材３１ａ、３１ｂが折り畳み自在な状態で設けられている。同様に、上記右側壁部３３は２枚の板材３３ａ、３３ｂを備えていて、これら２枚の板材３３ａ、３３ｂが折り畳み自在な状態で設けられている。
【００１２】
又、上記左右一対の側壁部３１、３３の間であって上部には天板部３５が設置されている。この天板部３５はロール状に構成されていて、ロール心材３７と、該ロール心材３７に対して巻き取り・引き出し自在に巻き取られたロール材３９とから構成されている。
【００１３】
そして、集塵機として機能する場合には、上記左右側壁部３１、３３を開いて前面側に引き出し、同時に、上記ロール材３９を引き出して、上記一対の左右側壁部３１、３３上に設置する。それによって、一定の気流を発生させるためのトンネル通路を構成するものである。その際、左右一対の側壁部３１、３３の２枚の板材３１ａ、３１ｂ、３３ａ、３３ｂを全て開くか或いは一枚分だけ開くかは任意である。それに合わせてロール材３９をどの程度引き出すかについても任意である。
【００１４】
又、既に説明した筐体７の前面側にはスリット状の吸込部４１が設置されている。この吸込部４１は図６に示すような構成になっている。すなわち、複数枚の板材４３によって所定の大きさのスリット４５を形成するように構成されたものであり、これによって、空気を整流した状態で吸い込むものである。又、上記スリット４５の裏側には別の板材４６が設置されていて、これら板材４６によって、吸引された空気は図６中矢印で示すようなルートで吸引されていくことになり、それによって、所望の整流効果が発揮されることになる。上記吸込部４１を介して吸引された空気は図１に示す吸気口４８を介して集塵機内部に吸引される。
【００１５】
以上の構成を基にその作用を説明する。まず、集塵機１を筐体７に取り付けられたキャスタ９を介して所望の場所に移動・設置する。例えば、図示しない工作機械による加工現場で使用する場合には、工作機械と作業員の近傍に設置する。次に、集塵用ブース５を開いて上記工作機械と作業員を包囲する。
すなわち、上記左右側壁部３１、３３を開いて前面側に引き出し、同時に、上記ロール材３９を引き出して、上記一対の左右側壁部３１、３３上に設置する。それによって、上記工作機械と作業員を包囲するとともに一定の気流を発生させるトンネル通路を構成し、いわゆるトンネルフード効果を発揮させる。その際、前述したように、左右一対の側壁部３１、３３の２枚の板材３１ａ、３１ｂ、３３ａ、３３ｂを全て開くか或いは一枚分だけ開くかは任意である。それに合わせてロール材３９をどの程度引き出すかについても任意である。
【００１６】
その状態で集塵機１の運転を開始する。加工時に発生する切削粉等は上記左右側壁部３１、３３と上記ロール材３９とによって形成されたトンネル通路を介して集塵機本体３内に効率的に吸引される。そして、吸込部４１を介して整流され吸気口４８を介して内部に吸引される。そして、フィルタ９を外側から内側に向かって通過することにより切削粉等がフィルタ９の外面に集塵される。清浄になった空気はフィルタ９の内側を介して流出し排気口２５を介して排気される。一方、集塵された切削粉等は粉塵受け皿１５に落下・捕集される。又、フィルタ９の外表面に付着した切削粉等はパルスユニット１３によって定期的に行われるパルスエアーの供給により剥離されて上記粉塵受け皿１５に落下・捕集される。
【００１７】
以上本実施の形態によると次のような効果を奏することができる。
まず、集塵用ブース５を設けることにより、工作機械と作業員を含む全体を包囲した状態で集塵することができるので、加工時に発生する切削粉等を確実に吸引して捕集することができ、切削粉等の周囲への飛散を確実に防止することができる。これは上記集塵用ブース５によって一定の気流を発生させるトンネル通路を形成し、それによって、トンネルフード効果を発揮させることができるからである。
又、上記集塵用ブース５は包囲する空間の大きさを調節することができるので、対象となる作業空間の大きさに合わせて適切なトンネル通路を形成することができる。
集塵機１はキャスタ１０を介して移動可能に構成されているので、任意の場所で機能させることができる。
ロール材３９を引き出した場合には左右側壁部３１、３３によってこれを支持する構成になっているので、別途支持構造物を設ける必要はなく、構成の簡略化を図ることができる。
【００１８】
次に、図７乃至図１０を参照して本考案の第２の実施の形態を説明する。前記第１の実施の形態の場合には、集塵機本体３と集塵用ブース５が一体化されていたが、この第２の実施の形態の場合には集塵機本体３と集塵用ブース５を別体としたものである。すなわち、集塵機本体３側から吸込ダクト５１が出されていて、これを集塵用ブース５側の吸込ダクト５３に接続して使用するものである。
【００１９】
又、集塵用ブース５側の枠体５４にも４個のキャスタ５５が設置されていて、集塵用ブース５が単独で移動することができるように構成されている。
その他の構成は前記第１の実施の形態の場合と同様であり、同一部分には同一符号を付して示しその説明は省略する。
【００２０】
よって、前記第１の実施の形態の場合と同様の効果を奏することができるとともに、集塵用ブース５が独立しているので、任意の集塵機本体３と組み合わせて任意の場所で使用することができる。
【００２１】
尚、本考案は前記第１、第２の実施の形態に限定されるものではない。
例えば、集塵機本体の構成についてはこれを特に限定するものではなく、様々な構成の集塵機本体に適用可能である。
集塵用ブースのトンネル通路を構成するための構造についてもこれを特に限定するものではない。
【産業上の利用可能性】
【００２２】
本考案は集塵機と集塵用ブースに係り、特に、吸込み側にトンネル通路を提供して一定の気流を発生させるトンネルフード効果を発揮させ、それによって、各種加工時に発生する粉塵の飛散を防止して集塵効率を高めることができるように工夫したものに関し、例えば、工作機械によって各種加工を行なっている作業空間における集塵に好適である。
【図面の簡単な説明】
【００２３】
【図１】本考案の第１の実施の形態を示す図で、集塵機の構成を示す正面図である。
【図２】本考案の第１の実施の形態を示す図で、集塵機の構成を示す上面図である。
【図３】本考案の第１の実施の形態を示す図で、集塵機の構成を示す背面図である。
【図４】本考案の第１の実施の形態を示す図で、図１のＩＶ−ＩＶ矢視図である。
【図５】本考案の第１の実施の形態を示す図で、図１のＶ−Ｖ矢視図である。
【図６】本考案の第１の実施の形態を示す図で、図１のＶＩ−ＶＩ断面図である。
【図７】本考案の第２の実施の形態を示す図で、集塵機の構成を示す正面図である。
【図８】本考案の第２の実施の形態を示す図で、集塵機の構成を示す上面図である。
【図９】本考案の第２の実施の形態を示す図で、図７のＩＸ−ＩＸ矢視図である。
【図１０】本考案の第２の実施の形態を示す図で、図７のＸ−Ｘ矢視図である。
【符号の説明】
【００２４】
１  集塵機
３  集塵機本体
５  集塵用ブース
３１  左側壁部
３１ａ  板材
３１ｂ  板材
３３  右側壁部
３３ａ  板材
３３ｂ  板材
３５  天板部
３７  ロール心材
３９  ロール材
【図１】
0003133617.tif 000003
【図２】
0003133617.tif 000004
【図３】
0003133617.tif 000005
【図４】
0003133617.tif 000006
【図５】
0003133617.tif 000007
【図６】
0003133617.tif 000008
【図７】
0003133617.tif 000009
【図８】
0003133617.tif 000010
【図９】
0003133617.tif 000011
【図１０】
0003133617.tif 000012